(57)【要約】【課題】新たな装置を追加することなく、決済端末装置に対する設置情報の登録作業の効率が向上するとともに、設置情報の誤登録を防止できる設置情報登録システムおよび方法を提供する。【解決手段】設置情報管理装置は、決済端末装置毎の設置情報が保存されたデータベースから設置対象の決済端末装置の設置情報を抽出し、抽出した設置情報を非接触ＩＣカードリーダ／ライタを用いて非接触ＩＣカードへ書き込む。決済端末装置は、設置情報の登録指示が入力されると、非接触ＩＣカードに格納された設置情報を読み出し、該読み出した設置情報を登録する。【選択図】図３
2010134676.tif 000002
【特許請求の範囲】
【請求項１】
非接触ＩＣカードを利用して決済が可能な決済端末装置に所要の設置情報を登録するための設置情報登録システムであって、
前記設置情報の転送指示が入力されると、前記決済端末装置毎の前記設置情報が保存されたデータベースから設置対象の決済端末装置の設置情報を抽出し、抽出した設置情報を非接触ＩＣカードリーダ／ライタを用いて非接触ＩＣカードへ書き込む設置情報管理装置を有し、
前記決済端末装置は、
前記設置情報の登録指示が入力されると、前記非接触ＩＣカードに格納された設置情報を読み出し、該読み出した設置情報を登録する設置情報登録システム。
【請求項２】
前記決済端末装置は、
前記設置情報の登録が完了すると、前記非接触ＩＣカードから読み出した設置情報が使用済みであることを示す登録済情報を該非接触ＩＣカードに書き込む請求項１記載の設置情報登録システム。
【請求項３】
前記決済端末装置は、
前記設置情報の登録指示が入力されると、前記非接触ＩＣカードに格納された前記登録済情報を確認し、該非接触ＩＣカードに使用済みで無い設置情報がある場合、該設置情報を読み出す請求項２記載の設置情報登録システム。
【請求項４】
非接触ＩＣカードを利用して決済が可能な決済端末装置に所要の設置情報を登録するための設置情報管理装置であって、
前記決済端末装置毎の前記設置情報が保存される設置情報データベースと、
前記非接触ＩＣカードに対する情報の読み出し／書き込みが可能な非接触ＩＣカードリーダ／ライタと、
前記設置情報の転送指示が入力されると、前記設置情報データベースから設置対象の決済端末装置の設置情報を抽出し、前記非接触ＩＣカードリーダ／ライタを用いて抽出した設置情報を前記非接触ＩＣカードへ書き込む制御部と、
を有する設置情報管理装置。
【請求項５】
非接触ＩＣカードを利用して決済が可能な決済端末装置であって、
前記非接触ＩＣカードに対する情報の読み出し／書き込みが可能な非接触ＩＣカードリーダ／ライタと、
前記設置情報の登録指示が入力されると、前記非接触ＩＣカードリーダ／ライタを用いて前記非接触ＩＣカードに格納された設置情報を読み出し、該読み出した設置情報を登録する制御部と、
を有する決済端末装置。
【請求項６】
前記制御部は、
前記設置情報の登録が完了すると、前記非接触ＩＣカードから読み出した設置情報が使用済みであることを示す登録済情報を、前記非接触ＩＣカードリーダ／ライタを用いて該非接触ＩＣカードに書き込む請求項５記載の決済端末装置。
【請求項７】
前記制御部は、
前記設置情報の登録指示が入力されると、前記非接触ＩＣカードに格納された前記登録済情報を確認し、該非接触ＩＣカードに使用済みで無い設置情報がある場合、該設置情報を読み出す請求項６記載の決済端末装置。
【請求項８】
非接触ＩＣカードを利用して決済が可能な決済端末装置に所要の設置情報を登録するための設置情報登録方法であって、
コンピュータが、
前記設置情報の転送指示が入力されると、前記決済端末装置毎の前記設置情報が保存されたデータベースから、設置対象の決済端末装置の設置情報を抽出し、
抽出した設置情報を非接触ＩＣカードリーダ／ライタを用いて非接触ＩＣカードへ書き込み、
前記決済端末装置が、
前記設置情報の登録指示が入力されると、前記非接触ＩＣカードに格納された設置情報を読み出し、該読み出した設置情報を記憶装置の所定領域へ格納して登録する設置情報登録方法。
【請求項９】
前記決済端末装置が、
前記設置情報の登録が完了すると、前記非接触ＩＣカードから読み出した設置情報が使用済みであることを示す登録済情報を前記非接触ＩＣカードリーダ／ライタを用いて該非接触ＩＣカードに書き込む請求項８記載の設置情報登録方法。
【請求項１０】
前記決済端末装置が、
前記設置情報の登録指示が入力されると、前記非接触ＩＣカードに格納された前記登録済情報を確認し、該非接触ＩＣカードに使用済みで無い設置情報がある場合、該設置情報を読み出す請求項９記載の設置情報登録方法。
【発明の詳細な説明】
【技術分野】
【０００１】
本発明は非接触ＩＣカードを利用して決済が可能な決済端末装置に所要の設置情報を登録するための設置情報登録システムおよび方法に関する。
【背景技術】
【０００２】
非接触ＩＣカードは、利便性が高く、普及のスピードには目覚しいものがある。新しく決済端末装置を設置する店舗等においても、非接触ＩＣカードを利用して決済が可能な決済端末装置の設置が増えてきている。
【０００３】
ところで、新しく決済端末装置を設置する場合、該決済端末装置には所要の設置情報を登録して決済端末装置として動作できるようにする必要がある。設置情報には、例えばホストコンピュータとの通信に必要な情報（電話番号やＩＰアドレス等）、決済端末装置を識別するための端末ＩＤ、顧客毎に指定可能な固有の情報である顧客設定情報（伝票のコピー枚数、決済処理や決済済みデータの送信方法を指定する情報等）がある。
【０００４】
背景技術の決済端末装置では、これら設置情報が記載されたシート（紙）を用意しておき、決済端末装置が備える入力装置（テンキー、ファンクションキー等）を利用して作業者が設置情報を入力している。そのため、設置情報の入力作業に時間を要し、また新しく複数台の決済端末装置を設置する場合は、作業者による設置情報の入力ミスが発生する可能性が高くなる。
【０００５】
そこで、設置情報の入力作業の効率を向上させるとともに誤登録を防止できる決済端末装置が望まれている。
【０００６】
なお、クレジットカードを利用して決済が可能な決済端末装置については、ネットワークを介して決済端末装置毎の初期接続情報を携帯通信端末で取得し、取得した初期接続情報を携帯通信端末から決済端末装置へ送信することで、登録作業の効率を向上させる技術が特許文献１に記載されている。
【特許文献１】特開２００５−２６７１３６号公報
【発明の開示】
【発明が解決しようとする課題】
【０００７】
上述したように、背景技術の決済端末装置では、設置情報が記載されたシート（紙）を用意しておき、決済端末装置が予め備える入力装置を用いて作業者により設置情報が入力されている。
【０００８】
そのため、設置情報の入力作業に時間を要し、また新しく複数台の決済端末装置を設置する場合は、作業者による設置情報の入力ミスが発生する可能性が高くなる問題がある。
【０００９】
一方、特許文献１に記載された決済端末装置では、携帯通信端末と決済端末装置間で情報を送受信するための通信手段を携帯通信端末および決済端末装置にそれぞれ新たに設ける必要がある。そのため、携帯通信端末や決済端末装置のコストが上昇する問題がある。
【００１０】
本発明は上記したような従来の技術が有する問題点を解決するためになされたものであり、新たな装置を追加することなく、決済端末装置に対する設置情報の登録作業の効率が向上するとともに、設置情報の誤登録を防止できる設置情報登録システムおよび方法を提供することを目的とする。
【課題を解決するための手段】
【００１１】
上記目的を達成するため本発明の設置情報登録システムは、非接触ＩＣカードを利用して決済が可能な決済端末装置に所要の設置情報を登録するための設置情報登録システムであって、
前記設置情報の転送指示が入力されると、前記決済端末装置毎の前記設置情報が保存されたデータベースから設置対象の決済端末装置の設置情報を抽出し、抽出した設置情報を非接触ＩＣカードリーダ／ライタを用いて非接触ＩＣカードへ書き込む設置情報管理装置を有し、
前記決済端末装置は、
前記設置情報の登録指示が入力されると、前記非接触ＩＣカードに格納された設置情報を読み出し、該読み出した設置情報を登録する構成である。
【００１２】
一方、本発明の設置情報登録方法は、非接触ＩＣカードを利用して決済が可能な決済端末装置に所要の設置情報を登録するための設置情報登録方法であって、
コンピュータが、
前記設置情報の転送指示が入力されると、前記決済端末装置毎の前記設置情報が保存されたデータベースから、設置対象の決済端末装置の設置情報を抽出し、
抽出した設置情報を非接触ＩＣカードリーダ／ライタを用いて非接触ＩＣカードへ書き込み、
前記決済端末装置が、
前記設置情報の登録指示が入力されると、前記非接触ＩＣカードに格納された設置情報を読み出し、該読み出した設置情報を記憶装置の所定領域へ格納して登録する方法である。
【発明の効果】
【００１３】
本発明によれば、新たな装置を追加することなく、決済端末装置に対する設置情報の登録作業の効率が向上するとともに、設置情報の誤登録を防止できる。
【発明を実施するための最良の形態】
【００１４】
次に本発明について図面を用いて説明する。
【００１５】
図１は本発明の決済端末装置の一構成例を示すブロック図であり、図２は本発明の決済端末装置の他の構成例を示すブロック図である。
【００１６】
図１に示すように、本発明の決済端末装置１１は、非接触ＩＣカード１４に格納された情報の読み出し、および非接触ＩＣカード１４に情報を格納するための非接触ＩＣカードリーダ／ライタ１２と、決済端末装置１１の動作を制御する制御部１３とを有する構成である。非接触ＩＣカードリーダ／ライタ１２および制御部１３は、決済端末装置１１の内部で接続され、非接触ＩＣカードリーダ／ライタ１２の動作は、制御部１３によって制御される。
【００１７】
なお、本発明の決済端末装置１１は、図２に示すように制御部１３を内部に備え、非接触ＩＣカードリーダ／ライタ１２を外部に備える構成にも適用できる。
【００１８】
制御部１３は、例えば入力装置（テンキー、ファンクションキー等）や出力装置（ディスプレイ、プリンタ等）のユーザインターフェース部、並びにネットワークとの通信手段を備えたコンピュータによって実現される。
【００１９】
非接触ＩＣカードリーダ／ライタ１２は、非接触ＩＣカード１４からの情報の読み出し、および非接触ＩＣカード１４に対する情報の格納が可能な、周知の規格に適合した装置である。
【００２０】
非接触ＩＣカード１４から情報を読み出す場合または非接触ＩＣカード１４へ情報を格納する場合、非接触ＩＣカードリーダ／ライタ１２は、制御装置１３からの指示にしたがって非接触ＩＣカード１４に対して周知の無線手段によりアクセスする。なお、非接触ＩＣカード１４と非接触ＩＣカードリーダ／ライタ１２とは、周知のデータフォーマットで情報を送受信してもよく、独自のデータフォーマットで情報を送受信してもよい。
【００２１】
図３は本発明の設置情報管理装置の一構成例を示すブロック図である。
【００２２】
図３に示す設置情報管理装置３１は、店舗等に設置される決済端末装置毎の設置情報を一括して管理する装置である。
【００２３】
図３に示すように、設置情報管理装置３１は、設置情報データベース３２および非接触ＩＣカードリーダ／ライタ３３を備えた構成である。
【００２４】
設置情報データベース３２には、決済端末装置の管理者によって予め入力された、新たに設置する決済端末装置毎の設置情報が保存される。
【００２５】
非接触ＩＣカードリーダ／ライタ１２は、非接触ＩＣカード１４からの情報の読み出し、および非接触ＩＣカード１４に対する情報の格納が可能な、周知の規格に適合した装置である。
【００２６】
図３に示す設置情報管理装置３１は、例えば図４に示すような情報処理装置によって実現できる。
【００２７】
図４は図３に示した設置情報管理装置の実現例を示すブロック図である。
【００２８】
図４に示す情報処理装置は、プログラムにしたがって所定の処理を実行する処理装置４と、処理装置４に対してコマンドや情報等を入力するための入力装置５と、処理装置４の処理結果をモニタするための出力装置６とを有する構成である。
【００２９】
処理装置４は、ＣＰＵ４１と、ＣＰＵ４１の処理で必要な情報を一時的に保持する主記憶装置４２と、ＣＰＵ４１に本発明の設置情報管理装置３１としての処理を実行させるためのプログラムが記録された記録媒体４３と、上記設置情報データベース３２として用いられるデータ蓄積装置４４と、主記憶装置４２、記録媒体４３およびデータ蓄積装置４４とのデータ転送を制御するメモリ制御インタフェース部４５と、入力装置５および出力装置６とのインタフェース装置であるＩ／Ｏインタフェース部４６と、図３に示した非接触ＩＣカードリーダ／ライタ３３と情報を送受信するための外部インタフェース部４７とを備え、それらがバス４８を介して接続された構成である。
【００３０】
処理装置４は、記録媒体４３に記録されたプログラムにしたがって、以下に記載する本発明の設置情報管理装置３１としての処理を実行する。なお、記録媒体４３は、磁気ディスク、半導体メモリ、光ディスクあるいはその他の記録媒体であってもよい。データ蓄積装置４４は、設置情報管理装置内に備える必要はなく、独立した装置であってもよい。なお、図１や図２に示した決済端末装置１１についても、ＣＰＵ４１による処理やデータ蓄積装置４４に格納されるデータが異なることを除けば、図４に示した情報処理装置で実現できる。
【００３１】
設置情報管理装置３１は、新たに決済端末装置１１を設置する場合、作業者によって設置情報の転送指示が入力されると、設置情報データベース３２から設置対象の決済端末装置１１毎の設置情報を抽出し、非接触ＩＣカードリーダ／ライタ３３を用いて抽出した設置情報を非接触ＩＣカード３４へ書き込む。
【００３２】
本発明では、図１または図２に示した決済端末装置１１に対する設置情報の入力作業を、図３に示す非接触ＩＣカード３４を用いて実行する。
【００３３】
新たに決済端末装置を設置する場合、非接触ＩＣカード３４には、設置情報管理装置３１により非接触ＩＣカードリーダ／ライタ３３を介して設置対象の決済端末装置１１の設置情報が書き込まれる。
【００３４】
作業者は、設置情報が書き込まれた非接触ＩＣカード３４を、設置対象の決済端末装置１１が備える非接触ＩＣカードリーダ／ライタ１３にかざし、決済端末装置１１の入力装置により所定の操作を行うことで制御部１２に設置情報の登録処理を実行させる。
【００３５】
制御部１２は、作業者により設置情報の登録指示が入力されると、非接触ＩＣカードリーダ／ライタ１３を用いて非接触ＩＣカード３４に格納された設置情報を読み出し、該読み出した設置情報を不図示の記憶装置内の所定領域へ格納して設置情報を登録する。
【００３６】
なお、非接触ＩＣカード３４は、設置対象の決済端末装置１１毎に用意しておき、それぞれに１台分の決済端末装置１１の設置情報を格納してもよく、１枚の非接触ＩＣカード３４に、設置対象となる複数台分の決済端末装置１１の設置情報を格納してもよい。
【００３７】
非接触ＩＣカード３４には、決済端末装置１１に対する設置情報の入力作業が完了すると、該決済端末装置１１により非接触ＩＣカード３４から読み出した設置情報が使用済みであることを示す情報（以下、登録済情報と称す）が非接触ＩＣカードリーダ／ライタ１１を介して書き込まれる。
【００３８】
このように非接触ＩＣカード３４に登録済情報を書き込むことで、例えば新たに複数台の決済端末装置１１を設置する場合、各決済端末装置１１は、作業者により設置情報の登録指示が入力されると、非接触ＩＣカード３４に格納された登録済情報を確認し、該非接触ＩＣカード３４に使用済みで無い設置情報がある場合、その設置情報を自装置へ取り込めばよい。また、決済端末装置１１毎に非接触ＩＣカード３４を用意している場合、決済端末装置１１は、非接触ＩＣカード３４に格納された登録済情報を確認することで、非接触ＩＣカード３４に格納された設置情報が使用済みであるか否かを判断できる。したがって、一度使用された設置情報が他の決済端末装置１１に誤って登録されてしまうミスを防止できる。
【００３９】
さらに、設置作業の完了後に、非接触ＩＣカードリーダ／ライタ３３を介して設置情報管理装置３１に非接触ＩＣカード３４内の登録済情報を取り込めば、設置情報管理装置３１によって各決済端末装置１１に対する設置作業の完了有無が確認できる。その結果、設置情報管理装置３１によって設置作業が完了した各決済端末装置１１の管理も可能になる。
【００４０】
本発明によれば、決済端末装置１１が元々備える非接触ＩＣカードリーダ／ライタ１２を用いて、非接触ＩＣカード３４により該決済端末装置に登録すべき設置情報を入力するため、新たな装置を追加することなく既存の装置を利用して設置情報を入力できる。
【００４１】
また、非接触ＩＣカード３４を用いて各決済端末装置１１に設置情報をそれぞれ入力するため、設置情報の登録作業の効率が向上すると共に設置情報の誤登録を防止できる。
【図面の簡単な説明】
【００４２】
【図１】本発明の決済端末装置の一構成例を示すブロック図である。
【図２】本発明の決済端末装置の他の構成例を示すブロック図である。
【図３】本発明の設置情報管理装置の一構成例を示すブロック図である。
【図４】図３に示した設置情報管理装置の実現例を示すブロック図である。
【符号の説明】
【００４３】
４    処理装置
５    入力装置
６    出力装置
１１    決済端末装置
１２    非接触ＩＣカードリーダ／ライタ
１３    制御部
１４、３４    非接触ＩＣカード
３１    設置情報管理装置
３２    設置情報データベース
３３    非接触ＩＣカードリーダ／ライタ
４１    ＣＰＵ
４２    主記憶装置
４３    記録媒体
４４    データ蓄積装置
４５    メモリ制御インタフェース部
４６    Ｉ／Ｏインタフェース部
４７    外部インタフェース部
４８    バス
【図１】
2010134676.tif 000003
【図２】
2010134676.tif 000004
【図３】
2010134676.tif 000005
【図４】
2010134676.tif 000006